(57)【要約】【課題】大きな投射角を自在に得ることができるプロジェクターを提供する。【解決手段】プロジェクター本体２と、プロジェクター本体２を、後端部に設けた支軸２４を中心に上方に回動自在に支持するベースフレーム１１と、ベースフレーム１１に設けられ、プロジェクター本体２の回動をガイドすると共に、プロジェクター本体２を任意の回動位置に固定可能に構成された回動機構１２と、を備えたものである。【選択図】図２
2010217215.tif 000002
【特許請求の範囲】
【請求項１】
プロジェクター本体と、
前記プロジェクター本体を、後端部に設けた支軸を中心に上方に回動自在に支持するベースフレームと、
前記ベースフレームに設けられ、前記プロジェクター本体の回動をガイドすると共に、前記プロジェクター本体を任意の回動位置に固定可能に構成された回動機構と、を備えたことを特徴とするプロジェクター。
【請求項２】
前記ベースフレームは、複数の脚部を有する本体フレームと、前記本体フレームの左右両端部に設けた一対のリブ部と、を有し、
前記一対のリブ部は、前記プロジェクター本体の両側板の内側に収まっていることを特徴とする請求項１に記載のプロジェクター。
【請求項３】
前記回動機構は、前記ベースフレームから立ち上がり、前記支軸を中心とする円弧状のガイド部を形成したガイド板と、
前記ガイド部にスライド自在に係合すると共に、雌ねじを形成したスライドコマと、
前記プロジェクター本体の側板を貫通して前記スライドコマに螺合する止めねじと、を有することを特徴とする請求項１または２に記載のプロジェクター。
【請求項４】
プロジェクター本体と、
前記プロジェクター本体の下面後部に配設した一対の後部支持脚と、
前記プロジェクター本体の下面前部に配設され、一対の後部支持脚より長寸に形成した一対の前部支持脚と、
前記プロジェクター本体の下面に配設され、前記一対の前部支持脚を前後方向にスライド自在に支持する一対のスライド機構と、を備えたことを特徴とするプロジェクター。
【請求項５】
前記一対の前部支持脚を連結し、前記一対の前部支持脚を同時にスライドさせるための連結板を、更に備えたことを特徴とする請求項４に記載のプロジェクター。
【請求項６】
前記各前部支持脚は、高さ調整可能に構成されていることを特徴とする請求項４または５に記載のプロジェクター。
【請求項７】
前記各スライド機構は、断面クランク状の一対のガイドプレートを対向配置して構成されていることを特徴とする請求項４ないし６のいずれかにに記載のプロジェクター。
【発明の詳細な説明】
【技術分野】
【０００１】
本発明は、投射角を機械的に調整可能なプロジェクターに関するものである。
【背景技術】
【０００２】
従来、プロジェクター自身ではないが、プロジェクターを載置して用いる傾斜角調整台が知られている（特許文献１）。この傾斜角調整台は、プロジェクターを載置する載置部材と、載置部材の下面の前部寄りに回動自在に設けた断面「Ｌ」字状の傾斜角調整部材と、を備えている。この傾斜角調整台では、傾斜角調整部材を起立させた状態でプロジェクターを載置すると、大きな角度の投射角が得られ、後方に倒した状態でプロジェクターを載置すると、小さな角度の投射角が得られるようになっている。
【先行技術文献】
【特許文献】
【０００３】
【特許文献１】特開２００８−１２１７５２号公報
【発明の概要】
【発明が解決しようとする課題】
【０００４】
ところで、近年、在宅使用の観点から、壁面にスクリーンを設置して映像を見るほかに、例えばリクライニングチェアーに寝そべりながら映画を見る状況も増えている。長時間映像を見るには、楽な姿勢で見たいとする要望が強い。
しかしながら、上記従来の傾斜角調整台では、プロジェクターを２段階で角度変更（投射角変更）できるものの、天井や天井の近傍に映像を投射する等の大きな投射角を得ることができない問題があった。特に、プロジェクター自身に傾斜角調整台が組み込まれていないため、傾斜角調整台を大きく角度変更可能に設計しても、プロジェクターがずり落ちてしまうため、結局大きな投射角を得ることができない。
【０００５】
本発明は、大きな投射角を自在に得ることができるプロジェクターを提供することを課題としている。
【課題を解決するための手段】
【０００６】
本発明のプロジェクターは、プロジェクター本体と、プロジェクター本体を、後端部に設けた支軸を中心に上方に回動自在に支持するベースフレームと、ベースフレームに設けられ、プロジェクター本体の回動をガイドすると共に、プロジェクター本体を任意の回動位置に固定可能に構成された回動機構と、を備えたことを特徴とする。
【０００７】
この構成によれば、ベースフレームに設けた回動機構により、プロジェクター本体を、支軸を中心として任意の回動位置に固定可能に構成されているため、プロジェクター本体を、前上がりに大きく傾けることができる。すなわち、大きな投射角を得ることができる。したがって、ユーザーの見やすい任意の投射角に容易に且つ大きく可変させることができる。
【０００８】
この場合、ベースフレームは、複数の脚部を有する本体フレームと、本体フレームの左右両端部に設けた一対のリブ部と、を有し、一対のリブ部は、プロジェクター本体の両側板の内側に収まっていることが、好ましい。
【０００９】
この構成によれば、ベースフレームが、プロジェクター本体の下端部に隠れるように設けられるため、不使用時にベースフレームが目立つことが無く、全体の意匠性が損なわれることがない。
【００１０】
これらの場合、回動機構は、ベースフレームから立ち上がり、支軸を中心とする円弧状のガイド部を形成したガイド板と、ガイド部にスライド自在に係合すると共に、雌ねじを形成したスライドコマと、プロジェクター本体の側板を貫通してスライドコマに螺合する止めねじと、を有することが好ましい。
【００１１】
この構成によれば、ねじ式の簡単な構成で、プロジェクター本体を任意の角度に傾け且つ安定に固定することができる。なお、回動機構は、左右一対設けることが、より好ましい。
【００１２】
本発明の他のプロジェクターは、プロジェクター本体と、プロジェクター本体の下面後部に配設した一対の後部支持脚と、プロジェクター本体の下面前部に配設され、一対の後部支持脚より長寸に形成した一対の前部支持脚と、プロジェクター本体の下面に配設され、一対の前部支持脚を前後方向にスライド自在に支持する一対のスライド機構と、を備えたことを特徴とする。
【００１３】
この構成によれば、一対の後部支持脚に対し、一対のスライド機構を介して、一対の前部支持脚を後方に移動させることにより、プロジェクター本体を前上がりの任意の角度に傾けて設置することができる。すなわち、一対の前部支持脚を前後に移動させることにより、プロジェクター本体を任意の角度に傾けることができ、後方への十分な移動により大きな投射角を得ることができる。
【００１４】
この場合、一対の前部支持脚を連結し、一対の前部支持脚を同時にスライドさせるための連結板を、更に備えることが好ましい。
【００１５】
この構成によれば、連結板を介して、一対の前部支持脚を同時に且つ同一距離移動させることができ、プロジェクター本体の角度調整を簡単に行うことができる。なお、連結板には、スライド操作用の摘み等を設けることが好ましい。
【００１６】
これらの場合、各前部支持脚は、高さ調整可能に構成されていることが好ましい。
【００１７】
この構成によれば、両前部支持脚の高さ調整によっても、プロジェクター本体の角度調整を行うことができ、両前部支持脚のスライド調整とこの高さ調整とを併用することにより、投射角を自在に調整することができる。
【００１８】
これらの場合、各スライド機構は、断面クランク状の一対のガイドプレートを対向配置して構成されていることが好ましい。
【００１９】
この構成によれば、ガイドプレートは、板金により簡単に形成することができるため、各スライド機構を簡単且つ安価に形成することができる。
【図面の簡単な説明】
【００２０】
【図１】本発明の第１実施形態に係るプロジェクターの外観斜視図である。
【図２】第１実施形態のプロジェクターの側面図（ａ）、同図における部分拡大図（ｂ）である。
【図３】第１実施形態のプロジェクターの回動機構廻り断面図（ａ）、部分拡大図（ｂ）である。
【図４】本発明の第２実施形態に係るプロジェクターの外観側面図である。
【図５】第２実施形態におけるプロジェクターの前部支持脚廻りの部分拡大正面図である。
【図６】第２実施形態におけるプロジェクターのスライド機構廻りの部分拡大底面図である。
【発明を実施するための形態】
【００２１】
以下、添付の図面を参照して、本発明の第１実施形態に係るプロジェクターについて説明する。図１に示すように、第１実施形態のプロジェクター１Ａは、主体を為すプロジェクター本体２と、プロジェクター本体２の下部に組み込まれ、プロジェクター本体２を傾けてその投射角を調整する投射角調整機構３と、を備えている。
【００２２】
プロジェクター本体２は、筐体４に、アッセンブリ化した内部装置５を収容して構成されている。内部装置５は、例えば光源としての光源ランプから射出された光束を赤（Ｒ）、緑（Ｇ）、青（Ｂ）の三原色に分離し、これらの各色光束を液晶パネルを通し、画像情報に対応させて変調し合成して、投射レンズ６を介して投写面（スクリーンや壁、天井）に投影する構成を有している。
【００２３】
筐体４の上面には、光源ランプに対応してガラリ形式の排気口７が形成され、前面には、排気口７に対応するガラリ形式の吸気口８が形成されている。また、排気口７に隣接して筐体４の上面には、蓋体９で覆うようにして操作パネルが配設されている。さらに、図示では省略したが、筐体４の側面には、外部電力供給用の端子や各種の入出力端子群が配置されている。
【００２４】
図１および図２に示すように、投射角調整機構３は、筐体４の下面に組み込んだベースフレーム１１と、ベースフレーム１１の後端部を中心に、プロジェクター本体２を前上がりに回動させる左右一対の回動機構１２（一方のみ図示）と、を備えている。筐体４の下面は底上げされており、この部分にベースフレーム１１が収容されるように配設されている。
【００２５】
ベースフレーム１１は、板状のフレーム本体２１と、フレーム本体２１の左右両端から立ち上がった一対のリブ部２２と、フレーム本体２１の下面四隅に突設した４つの脚部２３とから成り、プレス成型により一体に形成されている。各リブ部２２の後端部は、幾分盛り上がっており、この部分にプロジェクター本体２を回動させる回動支軸（支軸）２４が取り付けられている。また、両リブ部２２は、プロジェクター本体２の両側板４ａの内側に位置し、投射角０度のプロジェクター本体２に隠蔽されるようになっている（図３参照）。
【００２６】
図２および図３に示すように、回動機構１２は、ベースフレーム１１に一体に形成され、リブ部２２から円弧状に上方に延在するガイド板３１と、ガイド板３１に係合させたスライドコマ３２と、スライドコマ３２に螺合する止めねじ３３と、を有している。
【００２７】
ガイド板３１は、プロジェクター本体２の側板４ａに沿って延在しており、上記の回動支軸２４を中心として円弧状に形成されている。ガイド板３１の中心線上には、回動支軸２４を中心として円弧状の開口したスライドガイド（ガイド部）３６が形成されている。そして、このスライドガイド３６にスライドコマ３２がスライド自在に係合している。ガイド板３１は、側板４ａの高さより僅かに低く且つリブ部２２の前後方向の中間より幾分前寄りの位置に突設されている。
【００２８】
スライドコマ３２は、スライドガイド３６にスライド自在に係合する略長円形の係合コマ部３８と、係合コマ部３８の内側に形成した受けコマ部３９と、係合コマ部３８および受けコマ部３９の軸心に貫通形成した雌ねじ部４０と、で一体に形成されている。係合コマ部３８の両側面は、厳密には回動支軸２４を中心として円弧状に形成されており、円弧状のスライドガイド３６にスライド自在に且つ回転不能に係合している。また、係合コマ部３８は、ガイド板３１より僅かに薄手に形成されている。一方、受けコマ部３９は、ガイド板３１の内側に当接し、上記の止めねじ３３と協働してガイド板３１と側板４ａとを挟持する。
【００２９】
止めねじ３３は、いわゆるユリアねじで構成され、工具レスでスライドコマ３２に締結可能に構成されている。この場合、止めねじ３３の軸部は、側板４ａを貫通してスライドコマ３２の雌ねじ部４０に螺合しており、止めねじ３３をねじ込むと、スライドコマ３２が引寄せられ、ガイド板３１および側板４ａを強く挟持する。これにより、ガイド板３１と側板４ａとの間の強い摩擦力により、プロジェクター本体２が任意の角度に固定される。逆に、止めねじ３３を緩めると、ガイド板３１および側板４ａの挟持状態が解かれ、プロジェクター本体２が任意の角度に回動自在となる。
【００３０】
このように第１実施形態のプロジェクター１Ａによれば、止めねじ３３緩めてプロジェクター本体２の前部を引き上げる（または押し下げる）ように回動させることで、プロジェクター本体２の前上がりの角度を自在に調整することができる。さらに、この状態で止めねじ３３を締め込むことで、プロジェクター本体２を任意の角度に固定することができる。したがって、プロジェクター１Ａの投射角を自在に調整することができ、特に大きく回動させることにより、大きな投射角を得ることができる。なお、回動機構１２は、プロジェクター１Ａの片側にのみ設けるようにしてもよい。
【００３１】
次に、本発明の第２実施形態に係るプロジェクターついて説明する。図４および図５に示すように、第２実施形態のプロジェクター１Ｂは、主体を為すプロジェクター本体５１と、プロジェクター本体５１の下面後部に突設した一対の後部支持脚５２と、プロジェクター本体５１の下面前部に配設され、一対の後部支持脚５２より長寸に形成した一対の前部支持脚５３と、一対の前部支持脚５３を連結する細長形状の連結板５４と、プロジェクター本体５１の下面に配設され、一対の前部支持脚５３を前後方向にスライド自在に支持する一対のスライド機構５５と、を備えている（いずれも、一方のみ図示）。
【００３２】
プロジェクター本体５１は、上記第１実施形態と同様に、筐体４に、アッセンブリ化した内部装置５を収容して構成されている。また、筐体４および内部装置５も第１実施形態と同様の構造を有しているため、ここでは説明を省略する。
【００３３】
図５および図６に示すように、一対の後部支持脚５２は、プロジェクター本体５１の下面後部に固定的に設けられている。但し、プロジェクター本体５１を大きく傾けたときに、プロジェクター本体５１が尻着き状態とならないように、その位置および高さが設計されている。
【００３４】
各前部支持脚５３は、アジャストボルトの形態を有して高さ調整自在に構成されており、ボルト形式の支持脚本体６１と、ナット形式のスライドコマ６２と、で構成されている。支持脚本体６１は、接地部６５と雄ねじ部６６とから成り、スライドコマ６２に対し正逆回転させることで高さ調整（突出寸法の調整）自在に構成されている。スライドコマ６２は、軸心に雌ねじ部７２を形成した受けコマ部７１と、受けコマ部７１の上側に一体に設けられ、スライド機構５５にスライド自在に係合する略長円形の係合コマ部７３と、で一体に形成されている。係合コマ部７３の幅は、後述するスライド機構５５のガイド溝部８２と略同幅に形成され、ガイド溝部８２にスライド自在であって、回転不能に係合している。
【００３５】
連結板５４は、一対の前部支持脚５３間に渡すように配設され、両外端部が、各スライドコマ６２の受けコマ部７１に固着されている。また、連結板５４の中心位置には、連結板５４を介して一対の前部支持脚５３をスライドさせる際に用いる操作摘み７５が下向きに取り付けられている。
【００３６】
一対のスライド機構５５は、左右方向において一対の後部支持脚５２に略合致するようにプロジェクター本体５１の下面に取り付けられており、一対の後部支持脚５２の手前から前方に相互に平行に延在している。各スライド機構５５は、対向配置した断面クランク状の一対のガイドプレート８１で構成されている。一対のガイドプレート８１は、間隙を存して前後方向に平行に延在しており、この間隙により、スライドコマ６２がスライド自在に係合するガイド溝部８２が構成されている。すなわち、ガイド溝部８２内には、スライドコマ６２の係合コマ部７３がスライド自在に且つ抜止め状態で係合し、ガイド溝部８２の開口部分には、受けコマ部７１が臨むように配設されている。
【００３７】
このような第２実施形態のプロジェクター１Ｂでは、連結板５４の操作摘み部７５を把持し、一対の後部支持脚５２に対し一対の前部支持脚５３を前後方向に進退させることで、プロジェクター本体５１の前上がりの角度を自在に調整することができる。また、高さ調整可能な各前部支持脚５３によっても、プロジェクター本体５１の前上がりの角度を自在に調整することができる。したがって、プロジェクター１Ｂの投射角を自在に調整することができ、特に一対の前部支持脚５３を後方に大きく移動させることにより、大きな投射角を得ることができる。なお、各前部支持脚５３は、必ずしもアジャストボルトの形態とする必要はない（高さ調整不能で可）。また、各前部支持脚５３（スライダー）と各スライド機構５５との関係を、ＬＭガイドの形態としてもよい。
【００３８】
なお、本発明の適用は上述した実施例に限定されず、種々の変形が可能である。例えば、プロジェクター１Ａは、液晶プロジェクター（透過型、ＬＣＯＳ等の反射型）には限定されず、例えば、ＤＭＤ(Digital Micromirror Device)を用いたプロジェクター等であってもよい。なお、ＤＭＤは米国テキサス・インスツルメンツ社の商標である。また、光源は光源ランプには限定されず、レーザーやＬＥＤなどの固体光源であってもよい。
【符号の説明】
【００３９】
１Ａ：プロジェクター  １Ｂ：プロジェクター  ２：プロジェクター本体  ４ａ：側板  １１：ベースフレーム  １２：回動機構  ２２：リブ部  ２４：回動支軸    ３１：ガイド板  ３２：スライドコマ  ３３：止めねじ  ３６：スライドガイド  ４０：雌ねじ部  ５１：プロジェクター本体  ５２：後部支持脚  ５３：前部支持脚  ５４：連結板  ５５：スライド機構  ６１：支持脚本体  ６２：スライドコマ  ７５：操作摘み  ８１：ガイドプレート  ８２：ガイド溝部
【図１】
2010217215.tif 000003
【図２】
2010217215.tif 000004
【図３】
2010217215.tif 000005
【図４】
2010217215.tif 000006
【図５】
2010217215.tif 000007
【図６】
2010217215.tif 000008